【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
会話の一部としてのメッセージを表示するユーザインタフェースを提供するためにコンピュータ装置が少なくともその一部を実行する方法であって、
新たなメッセージを受信するステップと、
当該受信されたメッセージに関連する会話を判別するステップであり、前記会話を形成するメッセージが前記会話内の少なくとも１つの他のメッセージと所定関係にあり、前記所定関係は、前記会話内の「イン・リプライ・トゥ」関係であるステップと、
前記会話内における会話ブレイクを判別するステップであり、前記会話ブレイクは、前記ユーザインタフェースに提示され、前記会話内の「イン・リプライ・トゥ」関係を有する先行する少なくとも1つのメッセージと、前記先行する少なくとも1つのメッセージに関する前記会話内の「イン・リプライ・トゥ」関係を有しないメッセージとの間に、複数の要素を備え、前記複数の要素は、前記「イン・リプライ・トゥ」関係を有するメッセージと、前記「イン・リプライ・トゥ」関係を有しないメッセージとの間の余白と、親メッセージからの抜粋と、前記先行する少なくとも1つのメッセージに関する「イン・リプライ・トゥ」関係を有しない直近の先行するメッセージの抜粋と、「イン・リプライ・トゥ」関係を有しないメッセージにのみ添付される図形要素とを備えるステップと、
ユーザにとっての興味対象のメッセージを判別するステップと、
前記会話内の各メッセージに関連するメッセージパートを選択された順序で提示することによって、前記会話を前記ユーザインタフェース内で表示するステップであって、前記各メッセージパートは、メッセージに関連するユーザ名と、受信時刻と、前記「イン・リプライ・トゥ」関係に基づいた当該メッセージと親メッセージとの比較においてユニークであるメッセージ本文と、を含むステップと、
前記会話を形成している前記メッセージ内の親の構造内の前記興味対象のメッセージの関係を視覚的に提示するステップと、
を含むことを特徴とする方法。
【請求項２】
前記メッセージパートは、スクロール可能ページにおいて時刻順と会話ツリーにおける階層横断順序とのうちの１つに従って表示されることを特徴とする請求項１に記載の方法。
【請求項３】
前記興味対象のメッセージは、メッセージパートへのユーザ選択の受信と、メッセージパート上へのカーソルのユーザ焦点当てとのうちの１つに基づいて判別されることを特徴とする請求項１に記載の方法。
【請求項４】
前記興味対象のメッセージと親メッセージとの関係は、色彩スキームと、図形スキームと、インデント付与スキームと、陰影化スキームと、からなる組からの少なくとも１つを用いて提示されることを特徴とする請求項１に記載の方法。
【請求項５】
前記図形スキームは、前記興味対象のメッセージと親メッセージとの間に矢印状の結合子を含むことを特徴とする請求項４に記載の方法。
【請求項６】
前記結合子は、前記メッセージパートの隣にある前記ユーザインタフェースの右側と、前記メッセージパートの隣にある前記ユーザインタフェースの左側と、透明な色彩スキームを用いた前記メッセージパート上と、のうちの１つに表示されることを特徴とする請求項５に記載の方法。
【請求項７】
前記結合子の厚さ及び色彩は、メッセージ属性と、メッセージ関係と、関係タイプと、からなる組のうちの少なくとも１つに関連する付加的情報を提供するのに用いられることを特徴とする請求項５に記載の方法。
【請求項８】
前記メッセージパートは、インデント付与と、タブ付けと、差し込みと、からなるうちの１つを用いて提示されることを特徴とする請求項１に記載の方法。
【請求項９】
前記会話ブレイクを示すのに用いられる図形要素は、片方矢印の結合子、直線、点線、及びアイコンからなる組のうちの少なくとも１つを含むことを特徴とする請求項１に記載の方法。
【請求項１０】
会話の一部としてのメッセージを表示するユーザインタフェースを提供するために電子メールアプリケーションを実行し得るコンピュータ装置であって、
メモリ、データ記憶部、並びに前記メモリ及び前記データ記憶部に接続されたプロセッサを含み、
前記プロセッサは、
前記会話における前記メッセージに対する所望の表示順序を判別する処理であり、前記会話内の前記メッセージの組は「イン・リプライ・トゥ」関係によって互いに関係する処理と、
前記会話内における会話ブレイクを判別する処理であって、前記会話ブレイクは、前記ユーザインタフェースに提示され、前記会話内の「イン・リプライ・トゥ」関係を有する先行する少なくとも1つのメッセージと、前記先行する少なくとも1つのメッセージに関する前記会話内の「イン・リプライ・トゥ」関係を有しないメッセージとの間に、複数の要素を備え、前記複数の要素は、前記「イン・リプライ・トゥ」関係を有するメッセージと、前記「イン・リプライ・トゥ」関係を有しないメッセージとの間の余白と、親メッセージからの抜粋と、前記先行する少なくとも1つのメッセージに関する「イン・リプライ・トゥ」関係を有しない直近の先行するメッセージの抜粋と、「イン・リプライ・トゥ」関係を有しないメッセージにのみ添付される図形要素とを備える処理と、
ユーザにとっての興味対象のメッセージを判別する処理と、
各メッセージに関連するメッセージパートを前記所望の表示順序に従ってスクロール可能且つ前記会話の表題よって識別されるページにおいて提示することによって前記会話を前記ユーザインタフェース内で表示する処理であって、前記各メッセージパートは、メッセージに関連するユーザ名と、受信時刻と、前記「イン・リプライ・トゥ」関係に基づいた当該メッセージと親メッセージとの比較においてユニークであるメッセージ本文と、を含む処理と、
前記興味対象のメッセージにとってイン・リプライ・トゥ関係にある他のメッセージに対する前記興味対象のメッセージの関係を、色彩スキームと、図形スキームと、インデント付与スキームと、陰影化スキームと、からなる組からの少なくとも１つを用いて提示する処理と、
を実行するように構成されていることを特徴とするコンピュータ装置。
【請求項１１】
前記会話のタイトルは、前記発生しているメッセージの表題行からの明示的な定義と導出内容とのうちの１つを介して判別されることを特徴とする請求項１０に記載のコンピュータ装置。
【請求項１２】
前記プロセッサは、前記第１及び第２のメッセージパートに適用される色彩スキーム及び陰影化スキームと、前記第１及び第２のメッセージパート間の余白と、のうちの少なくとも１つを用いることよって前記会話ブレイクを提示する処理を更に実行するように構成されていることを特徴とする請求項１０に記載のコンピュータ装置。
【請求項１３】
前記プロセッサは、前記興味対象のメッセージにとってイン・リプライ・トゥ関係にある他のメッセージに対する前記興味対象のメッセージの関係を、図形結合子要素を用いて提示する処理を更に実行するように構成され、前記結合子の色、場所及びテクスチャからなる組のうちの少なくとも１つが用いられて、前記関係の属性に関連する付加的情報を提供することを特徴とする請求項１０に記載のコンピュータ装置。
【請求項１４】
前記興味対象のメッセージは、ユーザクリックと、ユーザマウス・オーバと、前記ページ内のメッセージパートへのキーボード入力を介したユーザ選択と、からなるうちの１つによって判別されることを特徴とする請求項１０に記載のコンピュータ装置。
【請求項１５】
会話の一部としてのメッセージを表示するユーザインタフェースを提供するための命令が記録されているコンピュータ読取可能記録媒体であって、前記命令は、
新たなメッセージを受信するステップと、
当該受信されたメッセージに関連する会話を、当該メッセージと前記会話内の他のメッセージとのイン・リプライ・トゥ関係に基づいて判別するステップと、
会話プロパティを当該受信されたメッセージに基づいて更新するステップであり、前記会話プロパティは、前記会話のタイトルと、前記会話内のメッセージ順序と、前記会話内のメッセージ構造と、からなる組のうちの少なくとも１つを含むステップと、
前記メッセージの所望の表示順序を判別するステップと、
当該更新された会話内の会話ブレイクを前記所望の表示順序に基づいて判別するステップであって、前記会話ブレイクは、前記ユーザインタフェースに提示され、前記会話内の「イン・リプライ・トゥ」関係を有する先行する少なくとも1つのメッセージと、前記先行する少なくとも1つのメッセージに関する前記会話内の「イン・リプライ・トゥ」関係を有しないメッセージとの間に、複数の要素を備え、前記複数の要素は、前記「イン・リプライ・トゥ」関係を有するメッセージと、前記「イン・リプライ・トゥ」関係を有しないメッセージとの間の余白と、親メッセージからの抜粋と、前記先行する少なくとも1つのメッセージに関する「イン・リプライ・トゥ」関係を有しない直近の先行するメッセージの抜粋と、「イン・リプライ・トゥ」関係を有しないメッセージにのみ添付される図形要素とを備えるステップと、
前記会話の表示が多数の要素によるユーザの混同を減少させるように、当該所望の表示順序に従ってスクロール可能ページ内で前記会話内の各メッセージと他のメッセージとの比較に基づいて各メッセージ毎にユニークであるメッセージパートを提示するステップであって、前記スクロール可能ページは、当該会話の表題によって識別され、前記各メッセージパートは、メッセージに関連するユーザ名と、受信時刻と、前記「イン・リプライ・トゥ」関係に基づいた当該メッセージと親メッセージとの比較においてユニークであるメッセージ本文と、を含むステップと、
前記ページ内でのユーザ選択とメッセージパートへのユーザ焦点当てとのうちの１つに基づいて興味対象のメッセージを判別するステップと、
前記興味対象のメッセージにとってイン・リプライ・トゥ関係にある他のメッセージに対する前記興味対象のメッセージの関係を図形スキームを用いて提示するステップと、
を実行するための命令を含むことを特徴とするコンピュータ読取可能記録媒体。
【請求項１６】
前記所望の表示順序は、時刻順と、会話ツリー構造上の階層横断順序と、ユーザ割り当てされたメッセージ属性に従った順序と、うちの１つを含むことを特徴とする請求項１５に記載のコンピュータ読取可能記録媒体。
【請求項１７】
当該表示されたメッセージパートは、各メッセージに関連する動作を実行する選択可能なコントロールを含むことを特徴とする請求項１５に記載のコンピュータ読取可能記録媒体。
【請求項１８】
前記メッセージは、電子メールメッセージと、音響記録と、インスタントメッセージと、ビデオ録画と、イメージと、図形と、からなる組のうちの少なくとも１つを含むことを特徴とする請求項１５に記載のコンピュータ読取可能記録媒体。